(57)【要約】【課題】検針機に対応して金属を使用せずに形成され、しかも糸足を有するものも糸孔を有するものも自由に適用可能な検針機対応のボタンを提供する。【解決手段】検針機に対応することを目的として金属を使用せずに形成するボタンについて、取り付け部へボタンを取り付ける手段となる糸足１４又は糸孔を有する下型１１と、上記下型と組み合わされて１個のボタンを構成する上型１５とから成り、下型と上型とは互いに嵌まり合う結合構造（１３、１７）によって一体不離の状態に組み合わされているという構成を有するものとする。【選択図】          図１
2009136584.tif 000002
【特許請求の範囲】
【請求項１】
検針機に対応することを目的として金属を使用せずに形成するボタンであって、
取り付け部へボタンを取り付ける手段となる糸足又は糸孔を有する下型と、
上記下型と組み合わされて１個のボタンを構成する上型とから成り、
下型と上型とは互いに嵌まり合う結合構造によって一体不離の状態に組み合わされているという構成を有する検針機対応のボタン。
【請求項２】
結合構造として、相互に嵌合可能な雌部と雄部を下型と上型にそれぞれ設け、雌部と雄部の嵌合部分の一方に嵌め合い方向とほぼ平行な凹凸を設け、上記嵌合部分の他方に嵌め合い方向と交叉する凹凸を設けた構造を有する
請求項１記載の検針機対応のボタン。
【請求項３】
結合構造として、下型と上型の中心部を挟んでその両側に相互に嵌合可能な雌部と雄部とから成る対をそれぞれ有している請求項２記載の検針機対応のボタン。
【発明の詳細な説明】
【技術分野】
【０００１】
本発明は、検針機に対応することを目的として金属を使用せずに形成されるボタンに関するものである。
【背景技術】
【０００２】
ボタンにはクルミボタン（包み釦）と通称されるものがあり、それは通常、アルミニウムシートを材料として成型された上型と下型から成り、少なくとも上型の表面は布等のクルミ部品で覆われている。このクルミボタンを使った被服を検針機に通した場合には、特に針などの危険な異物の混入発見を目的とする検針機を作動させる原因になり、当然のことながら、色々な問題が起こる。検針作業をスムーズに済ませるにはこれまで使用してきたアルミニウムなどの金属部品を廃止しなければならないが、それにはクルミボタンの構造及び製造工程などを変更する必要も生じる。
【０００３】
アルミニウムなどの金属部品を使用しないクルミボタンに関する技術はこれまでにも提案されている。例えば登録実用新案第３０２５１３９号の考案は、ボタン本体の表面を覆う外装用シート部材を常に張った状態に保ち得る構造を提供することを課題とする。そのために皿状部分と軸部（本発明における糸足）を有する外ボタンと、軸部が挿入される貫通孔を有する内ボタンとを組み合わせる必要があり、糸孔を有するボタンには適さないなど構造上の制約を受けることになる。特開平９−３１３２１４号のような発明では、自由な使用態様を選択するという目的から糸孔を設けることも不可能ではないと思われるが、そのための具体的な構成は示されていない。
【０００４】
そこで本発明者は、下型と上型を例えばプラスチックで作成し、これらを一体化することで検針機にかからないボタンを提供することを着想し、開発を手掛けるに至った。金属部品を使用しないクルミボタンが既に公知であることは、上記の発明、考案によっても明らかになっているが、それらの従来のボタンには構造上或いはデザイン上の制約がある。また、新たに開発されるボタンは、ハンドプレスを使用して行なって来た従来の製造方法にも適合するものでなければならないという要請もある。本発明は上記の制約を克服し、要請にこたえられるようにすることを目的とする。
【０００５】
【特許文献１】登録実用新案第３０２５１３９号
【特許文献２】特開平９−３１３２１４号
【発明の開示】
【発明が解決しようとする課題】
【０００６】
本発明は前記の点に着目してなされたもので、その課題は、検針機に対応して金属を使用せずに形成され、しかも糸足を有するものも糸孔を有するものも自由に適用可能な検針機対応のボタンを提供することである。また、本発明の他の課題は、従来の方法によって製造可能な検針機対応のボタンを提供することである。また、本発明の他の課題は、クルミボタンにも、布等によって表面を覆わないが下型と上型とから成るボタンにも自由に適用可能な検針機対応のボタンを提供することである。
【課題を解決するための手段】
【０００７】
前記の課題を解決するため、本発明は、検針機に対応することを目的として金属を使用せずに形成するボタンについて、
取り付け部へボタンを取り付ける手段となる糸足又は糸孔を有する下型と、
上記下型と組み合わされて１個のボタンを構成する上型とから成り、
下型と上型とは互いに嵌まり合う結合構造によって一体不離の状態に組み合わされているものとするという手段を講じたものである。
【０００８】
本発明に係るボタンは前述したクルミボタンに適用することができるが、クルミ構造を有することが必須な訳ではない。検針機に反応しないという目的をクリヤーするために、本発明に係るボタンは主としてプラスチックを材料として形成するものとする。しかし、プラスチックは必ずしも樹脂と同義ではなく、例えば、ボタンに普通に使われる、カゼインも可塑性を有するという意味ではプラスチックである。また、木材や皮革も同様に使用可能な材料である。
【０００９】
本発明に係るボタンは、下型と上型とから成るので、最小限２部品を必要とするものと言うことができる。ここで下型、上型は必ずしも位置を示すものではなく、下型はボタンを取り付け部へ取り付ける手段となる糸足又は糸孔を有する側（構造体）を言うものとする。これに対して上型は上記下型と組み合わされて１個のボタンを構成する側（構造体）を言うことにする。
【００１０】
従って一つの部品が他の部品の外側を取り巻くように設けられ、上下に重なる構造ではないものも、上型或いは下型と呼ぶ場合があり得る。本発明において、糸足とはボタンの本体から突き出したその部分に糸孔のあるものを言い、糸孔とは単なる糸通しの孔を言うものとする。これらの糸足、糸孔は、ボタンを衣服、身の回り品、バッグその他の所持品などの任意の取り付け部に取り付ける手段である。
【００１１】
上記下型と上型とは、結合構造によって互いに嵌まり合い、一体不離の状態に組み合わされるものとする。一体に組み合わされたことによってボタンとして使用可能な条件が整い、下型に備わっている糸足又は糸孔に糸を通すこともでき、また、クルミボタンの場合には必要な表面が布などのクルミ部品によって覆われた状態になっている。下型と上型を一体にするには、接着という方法もあるが、接着剤を塗布する手間や、作業環境上の問題などを考慮すると、避けるべきである。
【００１２】
上記結合構造として、相互に嵌合可能な雌部と雄部を下型と上型にそれぞれ設け、雌部と雄部の嵌合部分の一方に嵌め合い方向とほぼ平行な凹凸を設け、上記嵌合部分の他方に嵌め合い方向と交叉する凹凸を設けた構造を有することが望ましい。上記一方の方向は例えば嵌合軸方向であり、他方の方向はそれと直交する周方向であり、また、例えば凹凸は多数の細かい突条と溝から成る。このようにすることで、嵌合部分の一方に嵌め合い方向とほぼ平行な凹凸と上記嵌合部分の他方に嵌め合い方向と交叉する凹凸が噛み合うことになり、より堅固な結合構造を得ることができる。
【００１３】
結合構造は具体的形態として様々な形状、構造を取り得るが、下型と上型の中心部を挟んでその両側に相互に嵌合可能な雌部と雄部とから成る対をそれぞれ有している配置形態は、一つの望ましい形態である。この配置形態では、雌部と雄部とから成る対を、例えば円形ボタンの円の中心ではなく直径方向の線上に２箇所設けることになる。そのほかにはボタンの中心部に雌部と雄部とから成る対を１箇所設ける配置形態も実施可能であるし、ボタンの周縁部に沿って下型と上型が嵌まり合うように雌部と雄部とから成る対を設けることもできる。
【００１４】
本発明に係るボタンがクルミボタンに限らないことは前述したとおりであるけれども、クルミボタンに本発明を適用する場合、少なくとも上型を包む布などの包み部品については、下型と上型とを結合する際に包み部品の端末を挟んで固定することになる。このような手法はこれまでの包みボタンと同じで良い。
【発明の効果】
【００１５】
本発明は以上のように構成されかつ作用するものであるから、検針機に対応して金属を使用せずに形成され、しかも糸足を有するものも糸孔を有するものも自由に適用可能な検針機対応のボタンを提供することができるという効果を奏する。また、本発明によれば、下型と上型を、ハンドプレスを使用して一体化することができるので、製造方法を大幅に変更する必要がなく、さらにまた、クルミボタンにも、布等によって表面を覆わないが下型と上型とから成るボタンにも自由に適用可能な検針機対応のボタンを提供することができる。
【発明を実施するための最良の形態】
【００１６】
以下図示の実施形態を参照して本発明をより詳細に説明する。図１ないし図３は本発明の例１に係る検針機対応のプラスチック製のボタン１０を示しており、１１は下型であって、円形基板１２を有している。円形基板１２の上面の中心には一方の結合構造である雄部１３が一体に設けられ、下面中央部には任意の取り付け部へボタンを取り付ける手段としてほぼＵ字型の糸足１４がやはり一体に１個設けられている。図１の例では雄部１３は軸状とされ、その周方向に多数の細かい突条と溝から成る凹凸１３ａが形成されて雄ネジ状に設けられている。
【００１７】
１５は上型であって、凸レンズ状の外形を有する中空構造部１６を持ち、下型同様プラスチック成形品として形成されている。例１における上型１５はその円形中空構造の内面の中心部に一方の結合構造である雌部１７を一体に有している。図示の雌部１７は中空構造の中心である内頂部に筒状の部分として設けたもので、筒内部には軸方向の多数の細かい突条と溝から成る凹凸１７ａが設けられている。例１における下型凹凸１３ａと上型凹凸１７ａはほぼ直交方向に交叉し、雄部１３と雌部１７の嵌合時には相互に変形を生じて噛み合い簡単には抜け出せない関係に固定されるように寸法、材質、形状及び構造が設計されている。
【００１８】
また、上型１５は周縁部に立下り部１８を有している。立下り部１８の内側に下型１１の円形基板１２が嵌め込まれるが、しかしこの部分には嵌まり込みによる抜け出し防止の手段を設ける必要はない。クルミボタンでは、円形基板１２を嵌め込むときに上型１５を覆った布などのクルミ部品１９の端末１９ａも挟み込まれるので（図３参照）、この端末１９ａの挟み込みを見込んだ嵌め合い関係に円形基板１２と立下り部１８の形態を調整する必要がある。なお、端末１９ａの挟み込みにより下型１１と上型１５の固定力もさらに増すこととなる。故に、円形基板１２の周縁部と立下り部１８の内周面とは相互に嵌合すれが、本発明における雄部と雌部とは別のものである。
【００１９】
このような構成を有する本発明の例１では、下型１１と上型１５を、ハンドプレスを使用して結合する。即ち、下型１１の円形基板１２を上型１５の立下り部１８に嵌め込み、それとともに、雄部１３と雌部１７とが互いに嵌め合わされることによってそれらの凹凸１３ａ、１７ａが変形し、下型１１と上型１５一体不離の状態に組み合わされ、ボタンが形成されることになる（図１Ａ参照）。そして、クルミボタンについては、図３に示したように、上型１５の中空構造部１６の表面をクルミ部品１９により覆ってから、下型１１と上型１５を各部にて嵌めあわせ、かつ、端末１９ａの挟み込みも同時に行なって形成することができる。
【００２０】
図４ないし図６は本発明の例２に係る検針機対応のプラスチック製のボタン２０を示しており、下型２１は、円形基板２２を有している。円形基板２２の上面の中央部には隆起部２２ａが設けられ、それを挟んで両側には相互に嵌合可能な結合構造の一方である雄部２３、２３が一体に設けられている。また、円形基板２２の下面中央部には任意の取り付け部へボタンを取り付ける手段としてほぼＵ字型の糸足２４がやはり一体に１個設けられている。例２でも雄部２３、２３は軸状とされ、その周方向に多数の細かい突条と溝から成る凹凸２３ａが形成されて雄ネジ状に設けられている。
【００２１】
上型２５は、ドーナツ状中空構造部２６を持ち、下型同様プラスチック成形品として形成されている。例２における上型２５はそのドーナツ状部分における中空構造部２６に、一方の結合構造である雌部２７、２７を一体に有している。図示の雌部２７は中空構造の内頂部に筒状の部分として設けたもので、筒内部には軸方向の多数の細かい突条と溝から成る凹凸２７ａが設けられ、これらの下型凹凸２３ａと上型凹凸２７ａもほぼ直交方向に交叉する。なおドーナツの穴に当たる空所２５ａには下型２１の隆起部２２ａが配置されるが、隆起部２２ａに嵌合可能なキャップ２８を用いて仕上げることも可能である。
【００２２】
このような構成を有する本発明の例２についても、下型２１と上型２５を、ハンドプレスを使用して相互に嵌合させ、結合することができる。その際、下型２１の隆起部２２ａを上型２５の空所２５ａに嵌め合わせ、それとともに、雄部２３と雌部２７を互いに嵌め合わされることによってそれらの凹凸２３ａ、２７ａが変形し、下型２１と上型２５が一体不離の状態に組み合わされ、ボタンが形成されることになる（図４Ａ参照）。クルミボタンについては、図６に示したように、上型２５の中空構造部２６の上面に相当する部分をクルミ部品２９により覆ってから、下型２１と上型２５を各部にて嵌めあわせ、かつ、端末２９ａの挟み込みも同時に行なって形成することができる。
【００２３】
図７ないし図９は本発明の例３に係る検針機対応のプラスチック製のボタン３０を示しており、前述の例１における糸足を糸孔３４に変え、雄部３３と雌部３７の位置関係を入れ替えたものに相当する。つまり、本発明において下型はボタンを取り付け部へ取り付ける手段となる糸足又は糸孔を有する側（構造体）を言うものと定義しているので、例３において糸孔３４を有する下型３１は前の２例と異なりボタンの本体に相当する外形を有する側になる。下型３１は凹レンズ状の外形を有し、その下部内面にはドーナツ状の中空構造部３６を持っている。
【００２４】
例３における下型３１はそのドーナツ形中空構造部３６の内側に一方の結合構造である雄部３３を一体に設け、雄部３３の周面には多数の細かい突条と溝から成る凹凸３３ａが設けられている。そして上型３５の中央部には任意の取り付け部へボタンを取り付ける手段としての糸足３４が４個設けられている。
【００２５】
例３における上型３５はドーナツ形基板３２を有しており、下型同様プラスチック成形品として形成されている。ドーナツ型基板３２の上面にリング状に突部３８が設けられ、その内周に他の一方の結合構造である雌部３７が一体に設けられている。上記雌部３７の内周には円周方向の多数の細かい突条と溝から成る凹凸３７ａが設けられている。例３における下型凹凸３７ａと上型凹凸３３ａもほぼ直交方向に交叉し、雄部３３と雌部３７の嵌合時には相互に変形を生じて噛み合い簡単には抜け出せない関係に固定される。
【００２６】
本発明の例３においても、下型３１と上型３５を、ハンドプレスを使用して例１と同様に相互に嵌合させ、結合することができる。即ち、下型３１の雌部３７と上型３５の雄部３３を互いに嵌め合わされることによってそれらの凹凸３３ａ、３７ａが変形し、糸孔３４を有する下型３１と上型３５が一体不離の状態に組み合わされ、ボタンが形成されることになる（図７Ａ参照）。なお本例３は糸孔を有する構造であり、クルミボタンについては特に示さない。
【００２７】
図１０ないし図１２は本発明の例４に係る検針機対応のプラスチック製のボタン４０を示しており、４１は下型であって、矩形基板４２を有している。矩形基板４２の下面には一方の結合構造である雄部４３が一体に設けられ、中央部には任意の取り付け部へボタンを取り付ける手段として糸孔４４が２個設けられている。例４では矩形基板４２は短い角柱状とされ雄部４３を兼ねており、その周囲に多数の細かい突条と溝から成る凹凸４３ａが形成されている。また、下型４１の最外部には抜け止めを兼ねて傘状の大形飾り部４９が設けられている。
【００２８】
４５は上型であって、凹レンズ状の外形を有し、下面にはドーナツ型の中空構造部４６を持ち、下型同様プラスチック成形品として形成されている。例４における上型４５はその中空構造部４６で囲まれた凸部４８の中心部に他の一方の結合構造としての矩形の雌部４７を一体に有している。図示の雌部４７には、軸方向の多数の細かい突条と溝から成る凹凸４７ａが設けられている。例４における下型凹凸４３ａと上型凹凸４７ａもほぼ直交方向に交叉し、雄部５３と雌部５７の嵌合時には相互に変形を生じて噛み合い簡単には抜け出せない関係に固定されるように寸法、材質、形状及び構造が設計されている。
【００２９】
本発明の例４においても、下型４１と上型４５を、ハンドプレスを使用して相互に嵌合させ、結合することができる。即ち、下型４１の雄部４３と上型４５の雌部４７を互いに嵌め合わされることによってそれらの凹凸４３ａ、４７ａが変形し、糸孔４４を有する下型４１と上型４５が一体不離の状態に組み合わされ、ボタンが形成されることになる（図１０Ａ参照）。なお本例４は糸孔を有する構造であるが、上型４５の外表面をクルミ部品によって覆い、後から下型４１を取り付けることにより、クルミボタンを形成することができる。
【００３０】
図１３ないし図１５は本発明の例５に係る検針機対応のプラスチック製のボタン５０を示しており、５１は下型であって、矩形基板５２を有している。矩形基板５２の下面には一方の結合構造である雄部５３が一体に設けられ、中央部には任意の取り付け部へボタンを取り付ける手段として糸足５４が１個設けられている。例５では矩形基板５２は短い角柱状とされ雄部５３を兼ねており、その周囲に多数の細かい突条と溝から成る凹凸５３ａが形成されている。また、下型５１の最外部には抜け止めを兼ねて傘状の大形飾り部５９が設けられている。
【００３１】
５５は上型であって、凹レンズ状の外形を有し、下面にはドーナツ型の中空構造部５６を持ち、下型同様プラスチック成形品として形成されている。例５における上型５５はその中空構造部５６で囲まれた凸部５８の中心部に他の一方の結合構造としての矩形の雌部５７を一体に有している。図示の雌部５７には、軸方向の多数の細かい突条と溝から成る凹凸５７ａが設けられている。例５における下型凹凸５３ａと上型凹凸５７ａもほぼ直交方向に交叉し、雄部５３と雌部５７の嵌合時には相互に変形を生じて噛み合い簡単には抜け出せない関係に固定されるように寸法、材質、形状及び構造が設計されている。
【００３２】
本発明の例５においても、下型５１と上型５５を、ハンドプレスを使用して相互に嵌合させ、結合できることは前例と同じである。即ち、下型５１の雄部５３と上型５５の雌部５７を互いに嵌め合わされることによってそれらの凹凸５３ａ、５７ａが変形し、糸孔５４を有する下型５１と上型５５が一体不離の状態に組み合わされ、ボタンが形成されることになる（図１３Ａ参照）。なお本例５においても、上型５５の外表面をクルミ部品によって覆い、その後で下型５１を取り付けることにより、クルミボタンを形成することができる。
【図面の簡単な説明】
【００３３】
【図１】本発明に係る検針機対応のボタンの例１を示すもので、Ａは斜視図、Ｂは分解平面図である。
【図２】例１の分解斜視図である。
【図３】同じく断面説明図である。
【図４】本発明の例２を示すもので、Ａは斜視図、Ｂは分解平面図である。
【図５】例２の分解斜視図である。
【図６】同じく断面説明図である。
【図７】本発明の例３を示すもので、Ａは斜視図、Ｂは分解平面図である。
【図８】例３の分解斜視図である。
【図９】同じく断面説明図である。
【図１０】本発明の例４を示すもので、Ａは斜視図、Ｂは分解平面図である。
【図１１】例４の分解斜視図である。
【図１２】同じく断面説明図である。
【図１３】本発明の例５を示すもので、Ａは斜視図、Ｂは分解平面図である。
【図１４】例５の分解斜視図である。
【図１５】同じく断面説明図である。
【符号の説明】
【００３４】
１０、２０、３０、４０、５０  検針機対応のボタン
１１、２１、３１、４１、５１  下型
１２、２２、３２、４２、５２  基板
１３、２３、３３、４３、５３  雄部
１３ａ、２３ａ、３３ａ、４３ａ、５３ａ  下型凹凸
１４、２４、５４  糸足
１５、２５、３５、４５、５５  上型
１６、２６、３６、４６、５６  中空構造部
１７、２７、３７、４７、５７  雌部
１７ａ、２７ａ、３７ａ、４７ａ、５７ａ  上型凹凸
１８  立下り部
１９、２９  クルミ部品
２８  キャップ
３８  リング状の突部
４８、５８  凸部
４９、５９  大形飾り部
【図１】
2009136584.tif 000003
【図２】
2009136584.tif 000004
【図３】
2009136584.tif 000005
【図４】
2009136584.tif 000006
【図５】
2009136584.tif 000007
【図６】
2009136584.tif 000008
【図７】
2009136584.tif 000009
【図８】
2009136584.tif 000010
【図９】
2009136584.tif 000011
【図１０】
2009136584.tif 000012
【図１１】
2009136584.tif 000013
【図１２】
2009136584.tif 000014
【図１３】
2009136584.tif 000015
【図１４】
2009136584.tif 000016
【図１５】
2009136584.tif 000017